(57)【要約】【解決手段】  濡れたワイプのパックのための分配器（１）は、ワイプのパックの側壁に取り付けるための周辺取り付けフランジ（３）を備える剛性プラスチック材料のボディ（２）を有する。引き裂き開放式の閉鎖部（４）がボディ（２）と一体成形される。閉鎖部（４）の周囲の一部分は、ヒンジ（５）によりボディ（２）に取り付けられた閉鎖部（４）を残すようにボディ（２）から引き離し可能である。閉鎖部（４）は、ボディ（２）の開口部に取り付けられている。該開口部に亘って円形分配開口部を有するシリコン膜が伸張され、該分配開口部を通して、ワイプが、分配器（１）が取り付けられているところのフローラップされたプラスチック製のワイプパックから分配される。
2005519818.tif 000002
【特許請求の範囲】
【請求項１】
ワイプ（１０）のパック（１２）用の分配器（１）であって、
前記パック（１２）の側壁に、該側壁の出口開口部の回りに取り付けるための取り付けフランジ（３）を有する剛性ボディ（２）と、
前記パック（１２）からのワイプ（１０）の分配を可能にするため、該パック（１２）の側壁の該出口開口部と協働するように前記ボディ（２）に形成されたワイプ分配開口部（７）と、
前記ボディ（２）と一体成形され、且つ、前記分配開口部（７）を閉じるため該分配開口部（７）に亘って延在する、引き裂き開放式の閉鎖部（４）と、
を備え、
前記閉鎖部（４）の周辺の一部分（１５）は、該閉鎖部（４）をヒンジ（５）により前記ボディ（２）に取り付けたままにした状態で該ボディ（２）から引き離すことが可能であり、
弾性膜（８）が、前記閉鎖部（４）の内側にボディ（２）に取り付けられ、且つ、前記分配開口部（７）に亘って延在しており、該弾性膜（８）は、前記パック（１２）からワイプ（１０）を分配するためワイプ（１０）の受け取り及び貫通のための貫通孔（９）を有する、分配器（１）。
【請求項２】
前記閉鎖部（４）は、前記ボディ（２）で厚さが減少した材料により形成された弱めライン（１５）により画成され、該弱めラインは、該閉鎖部（４）の回りを部分的に延在し、該閉鎖部（４）のヒンジ（５）のエッジで終わっており、該閉鎖部（４）がその内側エッジで前記ヒンジ（５）の回りを旋回するため該弱めライン（１５）に沿って該閉鎖部を前記ボディ（２）から引き剥がすことができるように、該弱めライン（１５）は、前記閉鎖部（４）を前記ボディ（２）に引き裂き可能に接続する、請求項１に記載の分配器。
【請求項３】
前記ボディは、前記パックの頂部を形成する自己支持パネル（５２）と、該パネル（５２）に取り付けられ、且つ、該パネルと共に複数のワイプ（５４）の受け取り及び格納のため閉じた容器を形成する、つぶれ可能な容器ボディ（５３）と、を備える、請求項１又は２に記載の分配器（５０）。
【請求項４】
締め付け手段（３０）が、前記分配器（１）のボディ（２）に弾性膜（８）を取り付けるため設けられている、請求項１乃至３のいずれか１項に記載の分配器。
【請求項５】
前記締め付け手段は、相補的な対のジョー形クランプ、即ち、第１のジョー部と、第２のジョー部とを有し、該第１及び第２のジョー部は、それらの間で前記弾性膜を締め付けるように互いに噛み合うことができる、請求項４に記載の分配器。
【請求項６】
前記ジョー部の一つは、前記ボディに取り付けられた固定式ジョー部であり、前記ジョー部の他方は、前記固定式ジョー部と係合可能である、請求項５に記載の分配器。
【請求項７】
前記ジョー部は、該ジョー部の相互嵌合のため一緒に押して適合する型式の、相互嵌合可能な形状が形成されている、請求項５に記載の分配器。
【請求項８】
前記第１のジョー部は、複数の間隔を隔てた中空ポストを有し、各ポストの内部は、少なくともその自由外側端部で、前記第２のジョー部の相補的プラグを受け取り、これらジョー部の相互嵌合のためのソケットを形成する、請求項７に記載の分配器。
【請求項９】
前記複数のプラグは、支持リングに間隔を隔てて取り付けられている、請求項８に記載の分配器。
【請求項１０】
前記弾性膜は、前記膜を前記プラグに取り付けるため該プラグと係合可能である、複数の間隔を隔てたプラグ受け取り孔を有する、請求項８に記載の分配器。
【発明の詳細な説明】
【技術分野】
【０００１】
本発明は、ワイプ分配器に係り、特に、濡れたワイプ用品のための携帯型ワイプ分配器に関する。
【背景技術】
【０００２】
従来技術では、剛性プラスチック材料の円柱状容器を備える分配器内に収容された、ロール巻きされた濡れワイプを提供することが知られている。ワイプは、容器頂部の中央分配開口部を介して巻物の中心から供給され、使用のため、穿孔ラインに沿って巻物から引き離される。湿気の損失を制限するためワイプ用品が分配されないときには、通常、蓋部が容器の頂部を覆うため提供される。この種の分配器に関する問題は、それが一般には、より厚い織物（例えば、３０〜６０ｇｓｍ）を満足いくように取り扱うことができないということである。そのような織物は、ベイビーケア用品及びスキンケア用品で今やありふれたものとなっている。更には、容器は、典型的には使用後に廃棄される比較的高価な種類のパッケージである。また、それは、十分な空気気密性を持っておらず、又は、カバーを取り外したり、単に開放したままにしておくことができ、これにより、ワイプからの湿気損失を生じさせる。最後に、容器は、比較的嵩張り、そのため、例えばハンドバッグ等内に、便利に携帯することができない。
【０００３】
別の既知の種類の分配器では、ワイプのスタックを含む再使用可能なプラスチックチューブが提供される。このワイプのスタックはフローラップされてもされなくてもよい。代替のワイプパックは、チューブを再充填するため販売されている。残念ながら、この分配器は、比較的嵩張り、空のときでさえ、取り扱いにくい。分配器の分配開口部を最上のワイプの先導端部で詰めておくことも、不便で効率的とはいえない。製造上の観点から、分配器を、あまりに多くの部品で製造することは比較的高価となる。
【０００４】
フローラップされたプラスチック製パッケージで、濡れたワイプ用品のスタックを提供することも知られている。分配開口部は、パッケージの頂部に設けられ、該開口部を通って、ワイプがスタックの頂部から引き出される。この分配開口部は、使用中でないときには、剥ぎ取り及び再密封式ステッカーにより覆われている。典型的には、ステッカーは、数回の使用の後、機能しなくなり、これは、ワイプが乾燥し切るという問題を生じさせる。この問題に取り組むため、分配開口部を覆って射出成形されたプラスチック製蓋アッセンブリを取り付けることが知られている。該蓋アッセンブリは、ワイプを分配するため開口され、パックが使用中でないときにはパック内に湿気を維持するため閉じることができる。しかし、蓋アッセンブリをフローラップ式パックに取り付ける際の接着剤は、ワイプを湿らせている流体により影響を受け、機能しなくなる。また、蓋部は、空気機密性ではなく、その結果、パック内のワイプからの湿気損失がなおも生じる。更には、一般的に云えば、ワイプの片手での取り出しは、可能ではなく、幾分不便である。また。これらの種類のフローラップ式分配器を用いた場合、ワイプは、しばしばパックから容易に引き出すことができなくなり、或いは、それらは、芋づる式に出てきてしまい、その結果、消耗が激しくなる。製造上の見地から、ワイプは、詰め込む前に濡らされなければならず、取り扱いの点で困難さが増す。これらの種類のパックに関する別の問題は、それらがかなり容易に改ざんされるということである。
【発明の開示】
【発明が解決しようとする課題】
【０００５】
本発明は、上記問題を克服することを目的とする。
【課題を解決するための手段】
【０００６】
本発明によれば、ワイプのパック用の分配器が提供される。該分配器は、該パックの側壁に、該側壁の出口開口部の回りに取り付けるための取り付けフランジを有する剛性ボディと、該パックからのワイプの分配を可能にするため、該パックの側壁の該出口開口部と協働するようにボディに形成されたワイプ分配開口部と、該ボディと一体成形され、且つ、分配開口部を閉じるため該分配開口部に亘って延在する、引き裂き開放式の閉鎖部と、を備え、閉鎖部の周辺の一部分は、該閉鎖部をヒンジによりボディに取り付けたままにした状態で該ボディから引き離すことが可能であり、弾性膜が、閉鎖部の内側にボディに取り付けられ、且つ、分配開口部に亘って延在しており、該弾性膜は、パックからワイプを分配するためワイプの受け取り及び貫通のための貫通孔を有する。
【０００７】
本発明の利点は、パックが使用する前に完全に密封されており、湿気損失を防止し、長い在庫寿命を促進するということである。また、ワイプへのアクセスを得るために、閉鎖部は、分配器のボディから引き裂かれなければならず、このことは、使用前に内容を開封したという表示を与えるであろう。更には、弾性膜及び閉鎖部は結合して、非常に効率的なシール部を提供し、格納中のワイプからの湿気損失を防止する。
【０００８】
分配器のボディは、剛性プラスチック材料から作られ、その形状を保持しているが、ボディの曲がり又は撓みを幾分可能にする。
好ましい実施例では、閉鎖部は、ボディにおいて厚さが減少した材料により形成された弱めラインにより画成され、該弱めラインは、該閉鎖部の回りを部分的に延在し、該閉鎖部のヒンジのエッジで終わっており、該閉鎖部がその内側エッジでヒンジの回りを旋回するため該弱めラインに沿って該閉鎖部をボディから引き剥がすことができるように、該弱めラインは、閉鎖部をボディに引き裂き可能に接続する。
【０００９】
好ましくは、弾性膜は、シリコン、ゴム、又は、他の弾性変形可能な弾性材料から形成される。分配開口部のサイズ、弾性膜又は開口部取り巻き部の弾性特性、及び、隣接するワイプの相互接続特性は、先導又は最外側ワイプが、該最外側ワイプを次の隣接するワイプからあまりに早期に切り離すこと無しに分配開口部を通って引き抜くことができ、弾性分配開口部の取り巻き部により次の隣接するワイプに印加された力が最外側ワイプから離れることを可能にするのに十分であるように選択される。最外側ワイプが切り離されるとき、次のワイプは、開口部を通して引っ張り続けられ、それにより、最外側ワイプの切り離しが完了したとき、次の隣接するワイプの先導エッジが開口部を通って突出するので、引き続いて容器から次のワイプを引っ張るため把持することが可能となる。可撓性分配開口部のこの構成は、容器内の湿ったワイプからの蒸発及び湿気損失を最小にするのに非常に都合がよい。
【００１０】
なお、分配開口部は、任意の適切な形態で提供されてもよい。例えば、弾性膜において、細長いスリット又は円形孔により提供されてもよい。
別の実施例では、締め付け手段が、分配器のボディに弾性膜を取り付けるため提供される。
【００１１】
一実施例では、締め付け手段は、相補的な対のジョー形クランプ、即ち、第１のジョー部と、第２のジョー部とを有し、該第１及び第２のジョー部は、それらの間で弾性膜を締め付けるように互いに噛み合うことができる。
【００１２】
好ましくは、ジョー部の一つは、ボディに取り付けられた固定式ジョー部であり、ジョー部の他方は、該固定式ジョー部と係合可能である。
有利には、ジョー部は、該ジョー部の相互嵌合のため一緒に押して適合する型式の、相互嵌合可能な形状が形成されているのがよい。
【００１３】
別の実施例では、第１のジョー部は、複数の間隔を隔てた中空ポストを有し、各ポストの内部は、少なくともその自由外側端部で、第２のジョー部の相補的プラグを受け取り、これらジョー部の相互嵌合のためのソケットを形成する。
【００１４】
更なる実施例では、複数のプラグは、支持リングに間隔を隔てて取り付けられている。
別の実施例では、弾性膜は、膜をプラグに取り付けるため該プラグと係合可能である、複数の間隔を隔てたプラグ受け取り孔を有する。
【００１５】
更なる実施例では、ボディは、パックの頂部を形成する自己支持式パネルと、該パネルに取り付けられ、これと共に複数のワイプの受け取り及び格納のため閉じた容器を形成する、つぶれ可能な容器と、を備える。「自己支持式パネル」という用語は、その形状を保持するのに十分に剛性であるが、一定の度合いまで曲がったり又は撓むことが可能である、パネルを意味している。多数のプラスチック材料がこのことを可能にし得る。
【００１６】
別の態様では、本発明は、容器の側壁の出口開口のところに取り付けられた、前文で説明されたような分配器を有する、内部に複数のワイプを入れた容器を備えるワイプのパックを提供する。
【００１７】
別の実施例では、複数のワイプは、容器内に取り付けられ、該ワイプは、連続するウェブにおいて、穿孔ラインの間にワイプを形成するためウェブの両側の間に延在する間隔を隔てた穿孔ラインで端部間を連結されている。
【００１８】
更なる実施例では、ウェブは、容器内でワイプのスタックを形成するためジグザグ形状に折り畳まれている。
別の実施例では、複数の折り畳まれた個々のワイプが、容器内に設けられ、隣接するワイプが、容器内で差し挟みワイプのスタックを形成するため、差し挟まれている。
【００１９】
別の実施例では、ワイプは、液体が含浸されている。典型的には、液体は、クリーニング剤、殺菌剤及び香水のうち１種類以上を含んでいてもよい。
本発明は、添付図面を参照して、例示としてのみ用いられる、その幾つかの実施例の次の説明からより明瞭に理解されよう。
【実施例】
【００２０】
図面、最初にその図１乃至図５を参照すると、１パックのワイプのための分配器が示されている。該分配器は、参照番号１により差し示されている。分配器１は、剛性プラスチック材料からできており、図４及び図５で示されるように、ワイプ１０のパック１２の側壁１４に取り付けるための周辺取り付けフランジ３を備えたボディ２を有する。引き裂き開放式閉鎖部４は、ボディ２と一体成形されている。閉鎖部４の周辺部の一部分は、ヒンジ５によりボディ２に取り付けられた閉鎖部４の部分を残すようにボディ２から引き離すことができる。閉鎖部４は、ボディ２内の開口部７に取り付けられ、該開口部に亘って円形分配開口部９を有するシリコン膜８が伸張されている。該開口部を通ってワイプ１０がフローラップ式プラスチック製のワイプパック１２から分配される。
【００２１】
閉鎖部４は、閉鎖部４の内側エッジに沿って形成されたヒンジ５と、部分的に閉鎖部４の回りに延在するボディ２の厚さを減少させることにより形成される略Ｖ字形状弱めライン１５と、により形成されている。該弱めラインは、閉鎖部４の両側部と外側端部との回りに形成される。前記弱めライン１５は、閉鎖部４の内側端部でヒンジ５の回りに枢動するため弱めライン１５に沿ってボディ２から引き剥がすことができるように、閉鎖部４をボディ２へと破れ可能に接続する。
【００２２】
パック１２からのワイプ１０の分配を可能にするため開位置で閉鎖部４と係合、保持するため捕捉手段が設けられている。この場合には、捕捉手段が、ボディ２の固定スピゴット１９と、閉鎖部４のヒンジ側エッジに設けられた相補的な受け取りスロット１０と、を備える。かくして、閉鎖部４が図５に示されるように直立位置へと情報に旋回されるとき、スロット１９は、パック１２において制限を受けないワイプ１０へのアクセスを提供するため、開位置で閉鎖部４を保持するためスピゴット１８と係合する。閉鎖部４の外側端部におけるタブ２０は、閉鎖部４を最初に開放し、続いて閉鎖部４を開閉するとき、弱めライン１５を上方に破いて閉鎖部４を引き裂くため、親指とそれ以外の指の間で保持することができるハンドグリップを形成する。閉鎖部４の外側端部における舌部２１は、閉鎖位置で閉鎖部４を固定するため、開口部７の前方端部で、連係するリップ２２の下で係合可能である。リップ２２の上方のボディ２の切り抜きスロット２３は、閉鎖部４が閉鎖されるときタブ２０を収容する。
【００２３】
シリコン膜８は、クランプリング３０を用いてボディ２の下側で締め付けられている。クランプリング３０は、分配器１のボディ２に形成された管状ポスト３２の相補的ソケット内に係合される、間隔をあけて配置された幾つかのプラグ３１を有する。プラグ３１は、膜８の連係する孔を通過し、ボディ２の下側上で膜８と係合し、これを締め付ける。
【００２４】
ワイプ１０は、任意の適切な態様でパック１２内に配列されていてもよい。例えば、ワイプ１０は、連続するウェブにおいて、穿孔列の間でワイプ１０を画成するためウェブの両側の間に延在する間隔を隔てた穿孔ラインで端部間を連結されていてもよい。ウェブは、パック１２内にワイプのスタックを形成するためジグザグ形状に折り畳まれていてもよい。代替の構成では、分離ワイプ１０が、パック１２内にスタック形態で差し挟まれていてもよい。
【００２５】
分配器１は、使用中には、パック１２の開口部の回りにパック１２の側壁１４に取り付けられている。フランジ３は、熱溶接、超音波溶接、又は、他の方法で、パック１２の側壁１４に取り付けられる。濡れワイプ１０を、閉鎖部４の破断前にパック１２内に完全に密封することができることが認められよう。パック１２を開放するため、タブ２０が把持され、弱めライン１５を破壊するべく上方に引っ張られ、それにより閉鎖部を図５に示すように直立位置へとヒンジ５の回りを上方に枢動して、シリコン膜８を備えた開口部７と分配開口部９とを露出させることができる。該分配開口部を通してワイプ１０を引き抜くことができる。ワイプ１０の除去の後、カバー４を、開口部７に亘って閉じ、閉鎖部４を閉位置で保持するため舌部２１を連係するリップ２２に係合させることができる。
【００２６】
本発明に係る分配器１は、パック１２内のワイプ１０からの湿気損失を最小にさせることが認められよう。その弾性に起因して、シリコン膜８は、パック１２の内部を効果的に密封し、湿気損失を防止する。最上ワイプ１０の先端部が開口部９を通って延在する間、これは、閉鎖部４のおかげで湿気損失に対して保護されている。かくして、湿気損失に対する二重のバリアが、閉鎖部４及びシリコン膜８により提供される。
【００２７】
所望ならば、パック１２は、使用準備ができたシリコン膜８内の開口部９を最上ワイプ１０が詰めた状態で提供されてもよい。ワイプ１０を分配するとき、次のワイプ１０が開口部９内に供給されない場合でさえ、ユーザーは、指を開口部９を通して容易に挿入することができ、次のワイプ１０を把持し、該ワイプを介して容易に引っ張ることができる。
【００２８】
本発明は、例えばフローラップされたパック等の押しつぶし可能なプラスチック製パックにとって特に有用であることが認められよう。分配器のボディも、プラスチック材料から作るのが好ましい。理想的には、ボディは、その形状を保持する上で事実上堅いが、幾分か可撓性を持つような自己支持構造であるのがよいであろう。
【００２９】
弾性変形可能なワイプ分配開口部を形成する様々な方法を提供することができる。例えば、前記分配開口部は、容器の出口開口部のところに、別個の鳩目金、シリコン又はゴム等の弾性材料のストリップ又は膜を取り付けることにより形成されてもよい。代替例として、所望ならば、開口部の周辺部の回りの容器の材料は、それが所望の分配開口部を形成するのに十分なほど可撓的で弾性的になるように構成及び／又は処理されてもよい。この処理は、分配器ボディがプラスチック材料から形成されるところの鋳造プロセスの間に、利便的にもたらされ得る。
【００３０】
ここで、図６乃至図１２を参照すると、参照番号５０により全体として指し示された、本発明の別の実施例に係る別のワイプ分配器が示されている。ワイプ分配器５０は、プラスチック材料の自己支持式分配パネル５２を有する。これは、一定量、曲がったり、撓んだりするが、一般的に云って、その形状を保持するのに十分に剛性である。プラスチック材料のつぶれ可能な容器ボディ５３は、分配パネル５２に取り付けられ、分配パネル５２と共に、複数のワイプ５４の収容及び格納のための閉鎖容器を形成する。分配開口部５５は、分配パネル５２内に設けられ、該パネルを通して、ワイプ５４を分配器５０から取り出すため引っ張ることができる。シリコン膜５６は、分配開口部５５に亘って取り付けられる。シリコン膜５６の貫通孔５７は、制御された態様で容器ボディ５３からワイプ５４を分配するようにワイプ５４の通過を可能にする。ヒンジ付きカバー５８がパネル５２に取り付けられている。カバー５８は、該カバー５８が分配開口部５５を密封する閉位置（図６）と、容器ボディ５３からワイプ５４を取り出すため分配開口部５５へのアクセスを可能にする開位置（図７）との間で移動可能である。
【００３１】
分配パネル５２は、周辺フランジ６０を有する。つぶれ可能な容器ボディ５３の上側リムは、分配パネル５２と共に、ワイプ５４のための閉鎖容器を形成するため、フランジ６０の下側に溶接されている。カバー５８は、分配パネル５２と一体成形されており、引き裂き式のカバーとして構成される。カバー５８の内側エッジ６２は、カバー５８と分配パネル５２との間のヒンジ接続を形成する。カバー５８の側部エッジ６４、６５は、厚さを減少した材料の弱めライン６６（図９）により分配パネル５２に接続されている。カバー５８の外側端部のところのタブ６８は、最初に分配器５０を開放するとき、弱めライン６６を破断しながらカバー５８を上側に引き裂くため、親指とそれ以外の指の間で把持することができるハンドグリップを形成する。その語、カバー５８を閉じるとき、タブ６８は、カバー５８を閉位置で固定するため分配パネル５２のフランジ６０における相補的な受け取り部７０（図１０）と係合する。
【００３２】
分配パネル５２へのシリコン膜５６の取り付けは、図９に、より詳細に示されている。内側に延在するエンドレスの壁７５は、分配開口部５５の周辺部の回りに分配パネル５２の内側面から内側に突出する。シリコン膜５６の相補的な球状エッジ部７７を受け取るためチャンネル７６が壁７５に設けられている。
【００３３】
図７を参照すると、複数のワイプ５４が、容器ボディ５３内で、端部間を連結された状態で取り付けられている。この状態では、連続的なウェブで穿孔ラインの間にワイプを形成するため、間隔を隔てた穿孔ラインがウェブの両側の間に延在している。ウェブは、図示のように容器ボディ５３内にワイプのスタックを形成するためジグザグ形態で折り畳まれている。
【００３４】
使用するとき、カバー５８のタブ６８が把持され、カバー５８が、弱めライン６６に沿って分配パネル５２から引き離される。先導するワイプ５４は、シリコン膜５６の開口部５７を通して引っ張られ、穿孔ラインに沿ってウェブから引き離される。なお、シリコン膜５６は、容器を密封してワイプ５４から湿気の損失を防止するためワイプ５４の先導エッジの回りを締め付けている。また、シリコン膜５６は、次のユーザーにより把持され取り外される用意のできた、次のワイプ５４を適所で保持する。閉じられたときのカバー５８は、湿気損失に対する保護を提供する。ワイプが分配器５０から取り出されるにつれて、容器ボディ５３はよりコンパクトにつぶれていく。更には、容器ボディ５３は可撓性を持つので、分配器５０は、剛性の分配器の容器よりもより容易に携帯することが可能となる。この相当の利点は、つぶれ可能な容器ボディを備えた、剛性又は半剛性の分配パネルを有する本発明の分配器により提供される。分配器パネル５２の全てのコーナー及び鋭いエッジは、幼児や歩き始めの子供にとってでさえも、傷害又は指の捕捉を回避するため丸みを付けられている。分配器５０は、使用準備ができたシリコン膜５６の開口部５７を最上ワイプ５４で詰めた状態で販売することができる。たとえワイプが容器ボディ５３内で引きちぎられるべきものであったとしても、ユーザーは、シリコン膜５６の弾性に起因して、分配用の最上ワイプの先導エッジを引き出すため指を容易に挿入することができる。更に、シリコン膜５６は、再び、その弾性に起因して、容器ボディ５３の内部を効果的に密封し、湿気損失を防止する。最上ワイプ５４の先端部が開口部５７を通って延在する間、これは、カバー５８の閉鎖部により湿気損失に対して保護される。それにより、湿気損失に対する二重のバリアが、カバー５８及びシリコン膜５６により提供される。製造上の見地から、分配器５０は比較的簡単で、安価に製造することができ、単に３つの部分、即ち分配器パネル５２、容器ボディ５３及びシリコン膜５６から構成されている。
【００３５】
ここで、図１３乃至図１７を参照すると、全体として参照番号８０により指し示された別のワイプ分配器が示されている。これは、図６乃至図１２で前述されたワイプ分配器に非常に類似しており、類似の構成部品は、同じ参照番号が割り当てられている。つぶれ可能な容器ボディ５３は、図１３で破線で示されている。この場合には、シリコン膜は、全体として参照番号８２により指し示された締め付け手段により分配パネル５２の内部で固定されている。締め付け手段８２は、互いに相補的な対のジョー形クランプ、即ち、第１のジョー部８３と、第２のジョー部８４とを有する。第１及び第２のジョー部は、それらの間で分配開口部５５に亘って弾性膜（図示せず）を締め付けるように互いに噛み合うことができる。第１のジョー部８３は、分配パネル５２の内側面から外側に突出する、複数の間隔を隔てた管状ポスト８５を備える。これらのポスト８５は、分配開口部５５の回りに配置され、分配パネル５２の内側面から外側に突出して分配開口部５５を取り囲む壁８６により相互接続されている。第２のジョー部８４は、図１７に最も良く示される、複数のプラグ８８を備えており、これらのプラグは、該プラグ８８を相互接続する支持リング８９に間隔を隔てて取り付けられている。各プラグ８８は、フランジ付き外側端部９１を備える柱状ボディ９０を有する。プラグ８８の内側端部９２は、第１のジョー部８３の各ポスト８８の内部によって形成された相補的ソケット９４（図１６）と係合する状態へのプラグ８８の案内を容易にするためテーパーが形成されている。
【００３６】
弾性膜は、プラグ８８に膜を取り付けるためプラグ８８に対応してこれらを受け取る、複数の間隔を隔てたプラグ受け取り孔を有している。これらのプラグ８８は、第１のジョー部８３と第２のジョー部８４との間で膜を締め付けるため、ポスト８５内の連係するソケット９４に挿入され、該膜を分配開口部５５に亘って固定している。
【００３７】
可撓性の分配開口部は、ワイプからの湿気損失を最小にすることが認められよう。弾性変形可能な湿りワイプの分配開口部は、容器の出口開口部のところに、別個の鳩目金、シリコン又はゴム等の弾性材料のストリップ又は膜を取り付けることにより形成されてもよい。
【００３８】
本発明のワイプ分配器は、ワイプ用のつぶれ可能な容器を形成するため、可撓性基板上へと加熱溶接されるのが利便性が高い。
本発明は、上述した実施例に限定されるものではなく、添付された請求の範囲内でその構成及び詳細事項の両方を変更することができる。
【図面の簡単な説明】
【００３９】
【図１】図１は、本発明に係る分配器の平面図である。
【図２】図２は、分配器の下面側の平面図である。
【図３】図３は、分配器の側面図である。
【図４】図４は、分配器を組み込むワイプのパックの斜視図である。
【図５】図５は、パックからワイプを分配するため使用する分配器を示した、図４に類似した斜視図である。
【図６】図６は、本発明の別の実施例に係るワイプ分配器の斜視図である。
【図７】図７は、図６のラインＶＩＩ−ＶＩＩに沿って取られた断面図である。
【図８】図８は、図６のワイプ分配器の一部分の詳細な斜視図である。
【図９】図９は、図６のワイプ分配器の分配開口部の詳細な断面図である。
【図１０】図１０は、図６のワイプ分配器の一部分を示す詳細な拡大斜視図である。
【図１１】図１１は、図１０のラインＸＩ−ＸＩに沿って取られた詳細な断面図である。
【図１２】図１２は、図１０のラインＸＩＩ−ＸＩＩに沿って取られた詳細な断面図である。
【図１３】図１３は、本発明の別の実施例に係る別のワイプ分配器のパネル形成部の詳細な斜視図である。
【図１４】図１４は、図１３に示されたパネルの下面側の斜視図である。
【図１５】図１５は、図１３に示されたパネルの側面図である。
【図１６】図１６は、図１３のパネルの一部分を示す詳細な下面側の斜視図である。
【図１７】図１７は、図１３のパネルの一部分を示す詳細な斜視図である。
【図１】
2005519818.tif 000003
【図２】
2005519818.tif 000004
【図３】
2005519818.tif 000005
【図４】
2005519818.tif 000006
【図５】
2005519818.tif 000007
【図６】
2005519818.tif 000008
【図７】
2005519818.tif 000009
【図８】
2005519818.tif 000010
【図９】
2005519818.tif 000011
【図１０】
2005519818.tif 000012
【図１１】
2005519818.tif 000013
【図１２】
2005519818.tif 000014
【図１３】
2005519818.tif 000015
【図１４】
2005519818.tif 000016
【図１５】
2005519818.tif 000017
【図１６】
2005519818.tif 000018
【図１７】
2005519818.tif 000019
【国際調査報告】
2005519818.tif 000020
2005519818.tif 000021
2005519818.tif 000022